(57)【要約】【課題】動き回る幼児やペットなどの拭き取り対象の水気を容易にかつ良好に拭くことが可能なタオルを提供する。【解決手段】ペットなどの拭き取り対象の水気を拭き取るタオル１であって、拭き取り側生地２と、穴部３ａを有する保持側生地３とを有し、これら拭き取り側生地２と保持側生地３との外周縁が互いに縫い合わされ、拭き取り側生地２と保持側生地３との間に、穴部３ａから手を挿入可能なポケット部５が全周にわたって形成されている。【選択図】図１
0003139740.tif 000002
【実用新案登録請求の範囲】
【請求項１】
拭き取り対象の水気を拭き取るタオルであって、
表裏のうち一方の面が拭き取り側生地の面、他方の面が保持側生地の面とされ、
前記保持側生地の面には、拭き取り者の手が挿入可能とされたポケット部が全周にわたって形成されていることを特徴とするタオル。
【請求項２】
拭き取り対象の水気を拭き取るタオルであって、
拭き取り側生地と、穴部を有する保持側生地とを有し、これら拭き取り側生地と保持側生地との外周縁が互いに縫い合わされ、前記拭き取り側生地と前記保持側生地との間に、前記穴部から拭き取り者の手を挿入可能なポケット部が全周にわたって形成されていることを特徴とするタオル。
【請求項３】
平面視円形状に形成されていることを特徴とする請求項１又は２に記載のタオル。
【請求項４】
少なくとも前記拭き取り側生地が超極細糸からなる生地から形成されていることを特徴とする請求項１乃至請求項３のいずれか一項に記載のタオル。
【考案の詳細な説明】
【技術分野】
【０００１】
本考案は、幼児やペットなどの体を拭くのに好適なタオルに関する。
【背景技術】
【０００２】
入浴後のペットを拭くタオルとして、吸水性の良い、紙、パルプあるいは吸水ポリマーを素材としたものがある（例えば、特許文献１参照）。
【特許文献１】特開平１０−２９５５８１号公報
【考案の開示】
【考案が解決しようとする課題】
【０００３】
ところで、幼児やペットなどの体を拭く際には、タオルを手でしっかりと掴まないとタオルが落ちてしまう。
また、幼児やペットは動き回るため、例えば、動き回る幼児やペットの体を片手でおさえた状態で、もう一方の手でタオルを掴んで拭き取ることになり、思うように拭き取ることが難しかった。
しかも、拭き取った部分が濡れるため、タオルの拭き取り位置を変える必要がある。したがって、タオルを掴んでいる片手で、タオルの乾いた箇所を探して掴み直しながら拭き取りを行わなければならなかった。
【０００４】
本考案は、上記事情に鑑みてなされたもので、動き回る幼児やペットなどの拭き取り対象の水気を容易にかつ良好に拭くことが可能なタオルを提供することを目的としている。
【課題を解決するための手段】
【０００５】
上記目的を達成するために、本考案のタオルは、拭き取り対象の水気を拭き取るタオルであって、表裏のうち一方の面が拭き取り側生地の面、他方の面が保持側生地の面とされ、前記保持側生地の面には、拭き取り者の手が挿入可能とされたポケット部が全周にわたって形成されていることを特徴とする。
また、本考案のタオルは、拭き取り対象の水気を拭き取るタオルであって、拭き取り側生地と、穴部を有する保持側生地とを有し、これら拭き取り側生地と保持側生地との外周縁が互いに縫い合わされ、前記拭き取り側生地と前記保持側生地との間に、前記穴部から拭き取り者の手を挿入可能なポケット部が全周にわたって形成されていることを特徴とする。
【０００６】
以上の構成からなるタオルによれば、拭き取り者がポケット部に両手を挿入し、拭き取り対象を包み込んでしっかり捕まえたうえで、水気を拭き取ることができる。また、ポケット部に手を挿入しているので、タオルのずれ落ちを抑制することができ、円滑に拭き取り作業を行うことができる。
しかも、ポケット部が全周にわたって形成されているので、拭き取り対象を拭いた部分が濡れた場合は、両手をポケット部に入れたまま、タオルを少しずつ回転させることにより、ポケット部に挿入した手の部分に乾いた部分を配置させることができる。つまり、拭き取り場所を容易に移動させて拭き取り対象の拭き取りを円滑に行うことができる。
また、ポケット部がタオルの全周にわたって形成されていると、保持側生地の面の一部、つまり、保持側生地の面のうち拭き取り側生地の面との境界に近い部分を拭き取り側生地２の方にずらすことにより、拭き取り側生地２の一部としても使用することが可能になる。
さらに、拭き取り対象をタオルで保持しながら保持側生地を拭き取り側生地の表側へ裏返すことにより、拭き取り対象をタオルで包んで運ぶことができ、拭き取り作業の場所を容易に移動することができる。
【０００７】
また、本考案のタオルは、平面視円形状に形成されていても良い。
この構成によれば、タオルを少しずつ均等かつ円滑に回転させて拭き取り場所を移動させることができる。
【０００８】
また、本考案のタオルは、少なくとも前記拭き取り側生地が超極細糸からなる生地から形成されていても良い。なお、超極細糸とは、いわゆるマイクロファイバであり、化学的に組成された８ミクロン以下のナイロンやポリエステルなどの繊維からなる。そして、木綿と同等以上の吸水性や通気性・保温性を有し、速乾性にも優れると共に、肌触りも快適とされている。
この構成によれば、吸水性に優れた超極細糸からなる拭き取り側生地によって拭き取り対象の水気を良好に拭き取ることができる。
【考案の効果】
【０００９】
本考案のタオルによれば、動き回る幼児やペットなどの拭き取り対象の水気を容易にかつ良好に拭き取ることができる。
【考案を実施するための最良の形態】
【００１０】
以下、本考案に係るタオルの実施形態について図面を参照して説明する。
図１は実施形態に係るタオルの斜視図、図２はタオルの平面図、図３はタオルの裏面図、図４はタオルの断面図、図５〜図７はタオルの使用状態を説明する斜視図である。
【００１１】
図１〜図４に示すように、本実施形態に係るタオル１は、平面視円形状に形成されており、拭き取り側生地２と、保持側生地３とから構成されている。拭き取り側生地２は円板状に形成され、保持側生地３は穴部３ａを有するリング状に形成されている。
【００１２】
このタオル１は、拭き取り側生地２及び保持側生地３のそれぞれの外周縁を周方向にわたって縫い合わせることにより一体化されている。なお、これら拭き取り側生地２及び保持側生地３は、その外周縁を縫い合わせた後に表裏を裏返すことにより、外周縁の縫い合わせ部４が内側に配置されている。
【００１３】
そして、このタオル１は、拭き取り側生地２と保持側生地３との隙間が、保持側生地３の穴部３ａから手を挿入可能なポケット部５とされており、このポケット部５が全周にわたって形成されている。
【００１４】
上記のタオル１を構成する拭き取り側生地２及び保持側生地３は、いずれも吸水性に優れた、例えば、ナイロンやポリエステルなどのマイクロファイバ（超極細糸）から形成されている。
【００１５】
上記のタオル１を使用する場合は、まず、図５に示すように、ユーザは、保持側生地３の穴部３ａからポケット部５に両手Ｈを挿入する。そして、このように両手Ｈをポケット部５に挿入した状態にて、図６にも示すように、拭き取り側生地２によって、体が濡れた犬や猫などのペット（拭き取り対象）Ｐを包み込む。
【００１６】
このようにすると、マイクロファイバからなるタオル１によってペットＰの水気がタオル１に吸収され、ペットＰに付着した水を拭き取ることができる。
このとき、ユーザは、ポケット部５に両手Ｈを挿入しているので、タオル１がずれ落ちるようなことがなく、したがって、タオル１によって確実にペットＰを包み込むことができる。
【００１７】
また、タオル１のポケット部５に挿入した両手ＨでペットＰを掴まえながらペットＰの体を拭き取ることができる。
さらに、ペットＰを拭いた部分が濡れた場合は、両手Ｈをポケット部５に入れたまま、タオル１を少しずつ回転させることにより、ポケット部５に挿入した両手Ｈの部分に乾いた部分を配置させることができる。つまり、拭き取り場所を容易に移動させてペットＰの拭き取りを円滑に行うことができる。また、ポケット部５がタオル１の全周にわたって形成されているので、保持側生地３の面の一部（つまり、保持側生地３のうち拭き取り側生地２との縫い合わせ部に近い部分）を拭き取り側生地２の方にずらすことにより、拭き取り側生地２の一部としても使用することが可能になる。
【００１８】
また、図７に示すように、ペットＰをタオル１で保持しながら保持側生地３を拭き取り側生地２の表側へ裏返すことにより、ペットＰをタオル１で包んで運ぶことができ、拭き取り作業の場所を容易に移動することができる。
【００１９】
なお、上記実施形態では、タオル１を少しずつ均等かつ円滑に回転させて拭き取り場所を移動させるために平面視円形状としたが、タオル１の平面形状としては、平面視円形状に限定されることなく、平面視多角形状等であっても良い。
また、上記実施形態では、犬や猫などのペットＰの体を拭く場合を例にとったが、幼児の体を拭く場合に用いることができるのは勿論である。
【図面の簡単な説明】
【００２０】
【図１】実施形態に係るタオルの斜視図である。
【図２】タオルの平面図である。
【図３】タオルの裏面図である。
【図４】タオルの断面図である。
【図５】タオルの使用状態を説明する斜視図である。
【図６】タオルの使用状態を説明する斜視図である。
【図７】タオルの使用状態を説明する斜視図である。
【符号の説明】
【００２１】
１…タオル、２…拭き取り側生地、３…保持側生地、３ａ…穴部、５…ポケット部、Ｈ…手、Ｐ…ペット（拭き取り対象）。
【図１】
0003139740.tif 000003
【図２】
0003139740.tif 000004
【図３】
0003139740.tif 000005
【図４】
0003139740.tif 000006
【図５】
0003139740.tif 000007
【図６】
0003139740.tif 000008
【図７】
0003139740.tif 000009